(57)【要約】【課題】使用状態において、刃体の向きを容易に変えることができ、しかも、刃体を確実に保持することができる剃刀を提供する。【解決手段】折畳み可能な柄１のヘッド部１´Ａに回動自在に操作可能な回動操作部３´と設ける。回動操作部３´を固定した軸支部３の下部に刃取付体２を固定し、刃取付体２を水平回動自在に設ける。ヘッド部１´Ａには回動操作部３´と係脱可能なホルダストッパ４を設ける。カートリッジ替刃５の刃先の向きを変える場合、ホルダストッパ４の押圧操作部４Ａを操作し、回動操作部３´とホルダストッパ４との係合を解除し、刃取付体２を反転する。この時、回動操作部３´とホルダストッパ４とが再び係合し、ヘッド部１´Ａに刃取付体２が回り止め状態で位置決め保持される。【選択図】　　　図２
2004057307.tif 000002
【特許請求の範囲】
【請求項１】
柄のヘッド部に刃取付体を備え、この刃取付体にカートリッジ替刃を着脱自在に取り付けた理・美容用の剃刀において、前記刃取付体を前記ヘッド部に回転可能に設けるとともに、この刃取付体を位置決めするストッパ手段を設けたことを特徴とする剃刀。
【請求項２】
前記ヘッド部に対して上下方向に貫通する軸支部を設け、この軸支部の下端側に前記刃取付体を固定するとともに、軸支部の上端側に回動操作部を固定し、この回動操作部を前記ストッパ手段で位置決め保持してなることを特徴とする請求項１記載の剃刀。
【請求項３】
前記ストッパ手段が、前記ヘッド部に設けた係合受部を有するホルダストッパと、前記回動操作部に設けた係合受部と係脱可能な係合部とで構成したことを特徴とする請求項２記載の剃刀。
【発明の詳細な説明】
【０００１】
【発明の属する技術分野】
本発明は、理容美容用の剃刀に関し、特にはヘッド部の刃取付構造に関する。
【０００２】
【発明が解決しようとする課題】
従来、この種の剃刀において、特に理・美容技術者が使用する業務用剃刀は、１日の使用頻度が多いので、長時間の使用でも疲れにくく、且つ操作性が高い剃刀が要求されてきた。また、衛生面やコストの低減等の観点からも、近年、替刃式の刃体が広く用いられている。
【０００３】
この種の替刃式の剃刀として、例えば実開平６−１１６７４号公報の両刃付き長柄剃刀が開示されている。これは、柄の刃取付部の両側にそれぞれ、替刃式の刃体が取り付けられていて、使用者は指先のみで柄を反転させて刃取付部の両側に装着した両刃により、例えば、上部から下部に向ったひげを剃る場合、一方の刃体を使用し、下部から上部に向ったひげを剃る場合、反対側の刃体を使用することによって、上下双方向から使用できるようになっている。
しかし、この両刃式では、比較的、狭い柄のヘッド部に二組の刃体を着脱自在に取り付けることから、構造的に複雑である。また、使用状態により使用箇所が両側のどちらかに偏ってしまう虞がある。しかし、理・美容技術者は、衛生面から見て使用の都度、両刃を交換しなければず、コスト面でも不経済であった。
【０００４】
また、実開平６−８５６７４号広報には、柄のヘッドに刃組付体を装着する刃台を回動可能に支持した剃刀も開示されている。この剃刀は、刃組付体を装着する刃台をホルダのヘッドに対して回動させることにより、例えば、上部から下部に向ってひげを剃った後、下部から上部に向ってひげを剃る場合には、刃台を回転させて、刃体の向きを変えることで、上下双方向から使用できるようになっている。しかし、このような構造は、使用形態において刃体の向きを変える際、刃体を装着した刃組付体を持って回転させる必要があるため、操作時に刃体に触れて怪我をする虞れがあり、安全性に劣るばかり面があった。
【０００５】
そこで、本発明は、容易に刃体の向きを簡単に変えることができ、操作性・安全性に優れた剃刀を提供することを目的とする。
【０００６】
【課題を解決するための手段】
請求項１記載の剃刀は、柄のヘッド部に刃取付体を備え、この刃取付体にカートリッジ替刃を着脱自在に取り付けた理・美容用の剃刀において、前記刃取付体を前記ヘッド部に回転可能に設けるとともに、この刃取付体を位置決めするストッパ手段を設けたものである。
【０００７】
請求項１の構成により、刃取付体を反転させてカートリッジ替刃の刃体の向きを変える場合、ストッパ手段により、刃取付体がヘッド部に対して確実に位置決め保持される。
【０００８】
請求項２記載の剃刀は、請求項１記載の剃刀において、前記ヘッド部に対して上下方向に貫通する軸支部を設け、この軸支部の下端側に前記刃取付体を固定するとともに、軸支部の上端側に回動操作部を固定し、この回動操作部を前記ストッパ手段で位置決め保持してなるものである。
【０００９】
請求項２の構成により、カートリッジ替刃の刃体の向きを変える場合、柄を握った状態でホルダストッパと回動操作部との係合を解除することにより、回動操作部の回転が可能となり、使用者は柄を持ち替えることなく、容易にカートリッジ替刃の刃の向きを簡単に変えることができる。
【００１０】
請求項３記載の剃刀は、請求項２記載の剃刀において、前記ストッパ手段が、前記ヘッド部に設けた係合受部を有するホルダストッパと、前記回動操作部に設けた係合受部と係脱可能な係合部とで構成したものである。
【００１１】
請求項３の構成により、回動操作部に設けられた嵌合突部とホルダストッパのストッパ嵌合孔とが係合し、刃取付体がヘッド部に対して確実に位置決め保持される。
【００１２】
【発明の実施形態】
以下、本発明の実施形態を添付図を参照して説明する。図１は剃刀の先端部の斜視図である。図２は剃刀全体を示す斜視図、図３は同柄の折畳み形態を示す側面図であり、図４は先端部の側面図である。これらの図に基づいて各部の構成を説明する。柄１は合成樹脂から成る第１の柄１Ａと第２の柄１Ｂにより構成され、これら第１、第２の柄１Ａ，１Ｂを軸部６と係止部材６Ａにより回動自在に枢着することによって、柄１を折り畳み自在に連結している。図３に示すように、前記第２の柄１Ｂには、当板部１２が形成されている。この当板部１２は先端部から立下り部１２Ａを垂設してＬ型を成し、この当板部１２と第１の柄１Ａの刃取付体２に装着するカートリッジ替刃５を当接させることによって、柄１を折り畳んだ状態で保持する。
【００１３】
前記第１の柄１Ａの基端部には上側に湾曲した指掛け部１Ｃが形成されているとともに、第１の柄１Ａの先端には刃取付体２を装着するためのヘッド部１´Ａが形成されている。このヘッド部１´Ａには上下方向に貫通した軸支部３が設けられており、その軸支部３の下端部に刃取付体２が一体的に取り付けられ、さらに、軸支部３の上端部には、柄１と同じ合成樹脂あるいは金属製の回動操作部３´が一体的に取り付けられている。また、前記刃取付体２の下面にはレール３Ａが形成され、このレール３Ａにカートリッジ替刃５が着脱自在に装着される。
【００１４】
前記ヘッド部１´Ａの上面には、刃取付体２の回転を規制して所定位置で位置決めするためのホルダストッパ４が取り付けられている。このホルダストッパ４はばね性を有する金属板からなり、全体として平板状に形成されている。また、ホルダストッパ４は、先端部及び先端両側にそれぞれホルダ爪部４Ｂを折曲するとともに、基端部（第１の柄１Ａ側）には、上側に向かって傾斜する押圧操作部４Ａが形成され、その押圧操作部４Ａに係合受部たるストッパ嵌合孔４´が形成され、前記回動操作部３´の裏面両端側には前記ストッパ嵌合孔４´の係合部である一対の嵌合突部２Ａが突出形成され、これらホルダストッパ４と、ストッパ嵌合孔４及び嵌合突部２Ａによって刃取付体２を位置決めするストッパ手段を構成している。そして、ヘッド部１´Ａの上面と前記回動操作部３´との間でホルダストッパ４を挟着し、ホルダ爪部４Ｂをヘッド部１´Ａの先端側に形成す係合溝１０と係合凹部１１に係合させることによって、ヘッド部１´Ａにホルダストッパ４を固定している。これにより、ホルダストッパ４の基端部に形成する押圧操作部４Ａがヘッド部１´Ａから部分的に浮き上がり、押圧操作部４Ａに形成するストッパ嵌合孔４´と回動操作部３´に形成する嵌合突部２Ａとが弾発的に嵌合し、回動操作部３´が回り止めされ、刃取付体２がヘッド部１´Ａに位置決めされる。
【００１５】
次に前記構成についてその作用を説明する。
【００１６】
未使用時において柄１は軸部６を中心として折り畳んで第１及び第２の柄１Ａ、１Ｂをコンパクトに二つ折りし、使用時において第２の柄１Ｂを握って第１の柄１Ａに形成する指掛け部１Ｃを親指などに引っ掛けて軸部６を中心として第１の柄１Ａを回動させ、第１及び第２の柄１Ａ、１Ｂをほぼ連続させて使用する。そして、第１及び第２の柄１Ａ、１Ｂの軸部６部分を握って刃取付体２に装着するカートリッジ替刃５によって髭を剃る。この時、例えば、髭を剃る方向によって、カートリッジ替刃５の刃の向きを変える必要がある。例えば、上方側から下方側に向かって髭を剃る場合と、下方側から上方側に向かって髭を剃る場合とは、カートリッジ替刃５の刃の向きは逆となる。このように、カートリッジ替刃５の刃の向きを変える場合、ホルダストッパ４に形成する押圧操作部４Ａを親指などで下側に押し下げることにより、押圧操作部４Ａに形成するストッパ嵌合孔４´と回動操作部３´に形成する一方の嵌合突部２Ａとの係合が解除され、回動操作部３´の回転が可能となる。こうして、回動操作部３´とホルダストッパ４との係合を解除した状態で回動操作部３´を軸部６を中心として１８０度回転させると、再び、押圧操作部４Ａに形成する他方の嵌合突部２Ａと回動操作部３´に形成する嵌合突部２Ａとが弾発的に係合し、ヘッド部１´Ａにカートリッジ替刃５を装着した刃取付体２が位置決めされる。したがって、カートリッジ替刃５の刃の向きを変える際、柄１を握った状態で、親指などでホルダストッパ４の押圧操作部４Ａを操作し、さらに、回動操作部３´を回転することにより、使用者は柄１を持ち替えることなく、容易に刃先の向きのみを変える事ができる。このようにして、ヘッド部１´Ａに装着した刃取付体２を反転させ刃取付体２に装着したカートリッジ替刃５を外側に向ける。この後、柄１を握り変えてカートリッジ替刃５を内側に向けることにより、刃取付体２に装着したカートリッジ替刃５の刃の向きを変える。このように、カートリッジ替刃５の刃体の向きを変える場合、ヘッド部１´Ａに刃取付体２を確実に回り止めした状態で位置決め保持することができる。また、柄１を折り畳んだ際、刃取付体２に装着したカートリッジ替刃５が第２の柄１Ｂに一体形成する当板部１２に当接し、カートリッジ替刃５が第２の柄１Ｂと当板部１２の立下り部１２Ａとの間に挟まれる。これにより、柄１を折り畳んだ状態で保持することができ、安全である。
【００１７】
以上のように、本実施例では、請求項１に対応して、柄１のヘッド部１´Ａに刃取付体２を備え、この刃取付体２にカートリッジ替刃５を着脱自在に取り付けた理・美容用の剃刀において、前記刃取付体２を前記ヘッド部１´Ａに回転可能に設けるとともに、この刃取付体１´Ａを位置決めするストッパ手段を設けたことにより、カートリッジ替刃５の刃体の向きを変える場合、ヘッド部１´Ａに対してカートリッジ替刃５を装着する刃取付体２を確実に位置決め保持することができ、使用時において、カートリッジ替刃５がぐら付くことなく安定し、安全性に優れるものである。また、前記刃取付体２にカートリッジ替刃５を装着することから、カートリッジ替刃５の切れ味が悪くなった場合、カートリッジ替刃５のみを簡単に交換できるから、経済的である。
【００１８】
また、請求項２に対応して、前記ヘッド部１´Ａに対して上下方向に貫通する軸支部３を設け、この軸支部３の下端側に前記刃取付体２を固定するとともに、軸支部３の上端側に回動操作部３´を固定し、この回動操作部３´を前記ストッパ手段で位置決め保持してなることにより、カートリッジ替刃５の刃体の向きを変える場合、柄１を握った状態でホルダストッパ４と、回動操作部３´との係合を解除することにより、回動操作部３の回転が可能となり、使用者は柄１を持ち替えることなく、容易にカートリッジ替刃５の刃の向きを簡単に変えることができる。しかも、カートリッジ替刃５の刃の向きを変える際、カートリッジ替刃５を装着する刃取付体２に触れることなく、回動操作部３´によって安全にカートリッジ替刃５の刃の向きを変えることができる。
【００１９】
また、請求項３に対応して、前記ストッパ手段が、前記ヘッド部１´Ａに設けた係合受部としてのストッパ嵌合孔４´を有するホルダストッパ４と、前記回動操作部３´に設けたストッパ嵌合孔４´と係脱可能な係合部としての嵌合突部２Ａで構成したたことにより、前記回動操作部３´に設けられた嵌合突部２Ａが前記ホルダストッパ４のストッパ嵌合孔４´に嵌着されることにより刃取付体２を確実に固定することができる。
【００２０】
尚、本発明は上記実施形態に限定されるものではなく、本発明の要旨の範囲内において、種々の変形が可能である。例えば、前記第１実施形態では柄１を第１の柄１Ａと第２の柄１Ｂとに分割した例を示したが、図５に示す本発明の第２実施形態で示すように、連続する柄８のヘッド部１´Ａに、カートリッジ替刃５を装着する刃取付体２を回動自在に装着するようにしてもよい。前記柄８の後端側に紐通し等の孔１０を穿設すれば、紐などで剃刀を引っ掛けておくのに便利である。また、成形加工上、柄８を合成樹脂した場合、ヘッド部１´Ａが重く、操作時の操作性が悪くなるから、柄８の後端側に真鍮などからなるバランスウェイト９を埋設加工すればヘッド部１´Ａと柄８との重量バランスが取れ、操作が安定する。しかも、バランスウェイト９をハート型に形成すれば、ワンポイントの模様となり、デザイン性にも優れたものとなる。なお、図５ではバランスウェイト９をハート型としたが、これに限定されるものでなく、例えば星型等でもよい。さらに、前記実施例では、ホルダストッパ４にストッパ嵌合孔４´を設け、これと係合する嵌合突部２Ａを回動操作部３´に設けた例を示したが、これとは逆にホルダストッパ４に嵌合突部を形成し、この嵌合突部を回動操作部３´に設けたストッパ嵌合孔に係合するようにしてもよく、ストッパ手段の構成は適宜選定すればよい。また、柄の材質や形状といった剃刀の基本的構造も適宜選定すればよい。
【００２１】
【発明の効果】
請求項１記載の剃刀によれば、柄のヘッド部に刃取付体を備え、この刃取付体にカートリッジ替刃を着脱自在に取り付けた理・美容用の剃刀において、前記刃取付体を前記ヘッド部に回転可能に設けるとともに、この刃取付体を位置決めするストッパ手段を設けたものであるから、カートリッジ替刃の刃体の向きを変える場合、ヘッド部に対してカートリッジ替刃を装着する刃取付体を確実に位置決め保持することができ、使用時において、カートリッジ替刃がぐら付くことなく安定し、安全性に優れるものである。
【００２２】
請求項２記載の剃刀によれば、請求項１記載の剃刀において、前記ヘッド部に対して上下方向に貫通する軸支部を設け、この軸支部の下端側に前記刃取付体を固定するとともに、軸支部の上端側に回動操作部を固定し、この回動操作部を前記ストッパ手段で位置決め保持してなるものであるから、カートリッジ替刃の刃体の向きを変える場合、柄を握った状態でホルダストッパと回動操作部との係合を解除することにより、回動操作部の回転が可能となり、使用者は柄を持ち替えることなく、容易にカートリッジ替刃の刃の向きを簡単に変えることができる。しかも、カートリッジ替刃の刃の向きを変える際、カートリッジ替刃を装着する刃取付体に触れることなく、回動操作部によって安全にカートリッジ替刃の刃の向きを変えることができる。
【００２３】
請求項３記載の剃刀によれば、請求項２記載の剃刀において、前記ストッパ手段が、前記ヘッド部に設けた係合受部を有するホルダストッパと、前記回動操作部に設けた係合受部と係脱可能な係合部とで構成したものであるから、回動操作部に設けられた嵌合突部がホルダストッパのストッパ嵌合孔に嵌着されることにより刃取付体を確実に固定することができる。
【図面の簡単な説明】
【図１】本発明の一実施例の先端部の斜視図である。
【図２】本発明の一実施例を示す斜視図である。
【図３】本発明の一実施例を示す側面図である。
【図４】本発明の一実施例の先端部の側面である。
【図５】本発明の他の実施例を示す側面図である。
【符号の説明】
１Ａ　　柄部
１´Ａ　ヘッド部
１Ｂ　　柄部
２　　　刃取付体
２Ａ　　嵌合突部（係合部）
２Ｂ　　軸支部
３´　　回動操作部
４　　　ホルダストッパ
４´　　ストッパ嵌合孔（係合受部）
５　　　カートリッジ替刃
【図１】
2004057307.tif 000003
【図２】
2004057307.tif 000004
【図３】
2004057307.tif 000005
【図４】
2004057307.tif 000006
【図５】
2004057307.tif 000007